(57)【要約】【課題】コストの上昇を抑制しながら、コンセント取付作業や交換作業がしやすいとともに、背面における配線が目立たずに美観が損なわれることがない天板用コンセントボックスを提供する。【解決手段】電源コンセント、情報コンセント及び映像コンセントの少なくとも何れか一つの取付口１１Ａ，１１Ｂ，１１Ｃを備えた前面板７及び前面板７の下端から後方に延びる底板８からなる本体２、本体２の左右端に連結された左右のサイドカバー３，４、サイドカバー３，４に設けられた支持部３Ａ，４Ａにより回動可能に支持されて開閉する、本体２の背面を覆う背面カバー５、並びに、前記天板及び底板８を挟持する挟持手段６からなる簡素な構成により、天板に取り付けられるコンセントボックス１を構成した。【選択図】図２
2008084558.tif 000002
【特許請求の範囲】
【請求項１】
デスク又はテーブル等の天板を具備した家具において、天板に取り付けられるコンセントボックスであって、
電源コンセント、情報コンセント及び映像コンセントの少なくとも何れか一つの取付口を備えた前面板及び該前面板の下端から後方に延びる底板からなる本体と、
該本体の左右端に連結された左右のサイドカバーと、
該サイドカバー又は前記本体に着脱可能に取り付けられた、前記本体の背面を覆う背面カバーと、
前記天板及び底板を挟持する挟持手段とからなることを特徴とする天板用コンセントボックス。
【請求項２】
デスク又はテーブル等の天板を具備した家具において、天板に取り付けられるコンセントボックスであって、
電源コンセント、情報コンセント及び映像コンセントの少なくとも何れか一つの取付口を備えた前面板及び該前面板の下端から後方に延びる底板からなる本体と、
該本体の左右端に連結された左右のサイドカバーと、
該サイドカバーに設けられた支持部により回動可能に支持されて開閉する、前記本体の背面を覆う背面カバーと、
前記天板及び底板を挟持する挟持手段とからなることを特徴とする天板用コンセントボックス。
【請求項３】
前記背面カバーが、前記サイドカバーの後下部に設けられた支持部により前後方向に回動可能に支持されるものであり、該支持部と前記背面カバーの被支持部との係合が前記背面カバーを開けた所定位置で解除される請求項２記載の天板用コンセントボックス。
【請求項４】
前記前面板が、後方に行くにしたがって高くなる傾斜面を有し、該傾斜面に前記取付口を形成してなる請求項１又は２記載の天板用コンセントボックス。
【請求項５】
前記サイドカバーの後端を前記天板の後端縁よりも後側に位置させてなる請求項１又は２記載の天板用コンセントボックス。
【請求項６】
前記挟持手段が、後面が開口し、上側水平板に通孔が形成され、前記本体の底板の上面に当接する当接部が設けられた上支持部材と、該上支持部材の後面開口内に挿入され、螺孔が形成された上側水平板、該上側水平板の後端から垂下する垂直板、及び、該垂直板の下端から前方に延び、前記天板の下面に当接する下側水平板からなる下支持部材と、前記通孔の上側から前記螺孔に螺合するローレットビスとからなり、前記本体の底板に前記挟持手段の上支持部材の下端部が係合する係合孔を形成してなる請求項１又は２記載の天板用コンセントボックス。
【発明の詳細な説明】
【技術分野】
【０００１】
本発明は、デスク又はテーブル等の天板を具備した家具において、天板に取り付けられるコンセントボックスに関するものである。
【背景技術】
【０００２】
従来の天板に取り付けられるコンセントボックスとして、側面視略円弧状の上面の前後に開口部が形成され、底板に配線挿通口が形成された平面視矩形の本体に、前記開口部の前後において対向する連続溝からなる係合部を形成し、電源コンセント取付口及び情報コンセント取付口が形成された矩形板状のカバー部材の縁部を前記係合部に凹凸係合させて前記本体に着脱可能としてなり、天板の中央部の凹部又は一端縁の切欠に枠材取付具を介して取り付けられた枠材に本体を取り付けられるための取付部を前後左右に設けてなるもの（特許文献１参照）、全体として側断面大略三角形状で、正面から見て略長方形状をなす中空体に形成され、電源用又は信号用のコンセントを配置できる大きさの前面板を本体に対し着脱自在に設け、ケーブル挿通用の切欠を形成した裏蓋を本体の裏面底部近くに着脱自在に設け、底板に垂設された丸棒状の支持杆を天板の端縁に立設されたクランプの縦穴に嵌入してなるもの（特許文献２参照）等がある。
【０００３】
【特許文献１】特開２００４−２２９９４５号公報（図１−４、図７）
【特許文献２】特許第３３０７５８０号公報（図４）
【発明の開示】
【発明が解決しようとする課題】
【０００４】
特許文献１の構成では、上記のようなコンセントボックスの構造上、配線挿通孔又は切欠が無い天板には取り付けることができない。また、枠材、枠材取付具、前後左右の取付部、該取付部の操作部及びスペーサ部材等が必要であり部品点数が多くなるためコストが上昇する。さらに、本体の底板に配線挿通口が形成されており、本体の上面の前後に開口部が形成され、該開口部の前後の係合溝にコンセント取付口が形成されたカバー部材をスライドさせて係合させる構成であるため、コンセントの取付作業や交換作業がしにくいものである。
【０００５】
特許文献２の構成では、切欠が無い天板にも取り付けることができるものであるが、縦穴を具備したクランプ及び該縦穴に嵌入する支持杆等が必要であり部品点数が多くなるためコストが上昇する。また、裏蓋のケーブル挿通用の切欠から下方にケーブルが露出するため、天板の背面側から見ると特に配線が多い場合に美観が損なわれる。さらに、クランプの上側の天板面から離れた比較的高い位置にコンセントボックスが配設されるため、コンセントボックスを含めた家具全体の外観において、すっきりしたイメージが損なわれる場合がある。
【０００６】
そこで本発明が前述の状況に鑑み、解決しようとするところは、簡素な構成によりコストの上昇を抑制しながら、コンセント取付作業や交換作業がしやすいとともに、背面における配線が目立たずに美観が損なわれることがない天板用コンセントボックスを提供する点にある。
【課題を解決するための手段】
【０００７】
本発明に係る天板用コンセントボックスは、前記課題解決のために、デスク又はテーブル等の天板を具備した家具において、天板に取り付けられるコンセントボックスであって、電源コンセント、情報コンセント及び映像コンセントの少なくとも何れか一つの取付口を備えた前面板及び該前面板の下端から後方に延びる底板からなる本体と、該本体の左右端に連結された左右のサイドカバーと、該サイドカバー又は前記本体に着脱可能に取り付けられた、前記本体の背面を覆う背面カバーと、前記天板及び底板を挟持する挟持手段とからなるものである。
【０００８】
また、本発明に係る天板用コンセントボックスは、前記課題解決のために、デスク又はテーブル等の天板を具備した家具において、天板に取り付けられるコンセントボックスであって、電源コンセント、情報コンセント及び映像コンセントの少なくとも何れか一つの取付口を備えた前面板及び該前面板の下端から後方に延びる底板からなる本体と、該本体の左右端に連結された左右のサイドカバーと、該サイドカバーに設けられた支持部により回動可能に支持されて開閉する、前記本体の背面を覆う背面カバーと、前記天板及び底板を挟持する挟持手段とからなるものである。
【０００９】
ここで、前記背面カバーが、前記サイドカバーの後下部に設けられた支持部により前後方向に回動可能に支持されるものであり、該支持部と前記背面カバーの被支持部との係合が前記背面カバーを開けた所定位置で解除されると好ましい。
【００１０】
また、前記前面板が、後方に行くにしたがって高くなる傾斜面を有し、該傾斜面に前記取付口を形成してなると好ましい。
【００１１】
さらに、前記サイドカバーの後端を前記天板の後端縁よりも後側に位置させてなると好ましい。
【００１２】
さらにまた、前記挟持手段が、後面が開口し、上側水平板に通孔が形成され、前記本体の底板の上面に当接する当接部が設けられた上支持部材と、該上支持部材の後面開口内に挿入され、螺孔が形成された上側水平板、該上側水平板の後端から垂下する垂直板、及び、該垂直板の下端から前方に延び、前記天板の下面に当接する下側水平板からなる下支持部材と、前記通孔の上側から前記螺孔に螺合するローレットビスとからなり、前記本体の底板に前記挟持手段の上支持部材の下端部が係合する係合孔を形成してなると好ましい。
【発明の効果】
【００１３】
本発明に係る天板用コンセントボックスによれば、デスク又はテーブル等の天板を具備した家具において、天板に取り付けられるコンセントボックスであって、電源コンセント、情報コンセント及び映像コンセントの少なくとも何れか一つの取付口を備えた前面板及び該前面板の下端から後方に延びる底板からなる本体と、該本体の左右端に連結された左右のサイドカバーと、該サイドカバー又は前記本体に着脱可能に取り付けられた、前記本体の背面を覆う背面カバーと、前記天板及び底板を挟持する挟持手段とからなるので、本体、左右のサイドカバー、背面カバー及び挟持手段からなる簡素な構成によりコストの上昇を抑制することができる。その上、背面カバーが着脱式であるため、前記取付口へのコンセント等の取付及びケーブルの配線作業を容易に行うことができる。その上さらに、背面カバーにより本体の背面が覆われるため、背面における配線等が目立たずに美観が損なわれることがなく、会議テーブル等の後端部に取り付けて使用する場合であっても背面側から見た外観がすっきりとしたものになる。
【００１４】
また、本発明に係る天板用コンセントボックスによれば、デスク又はテーブル等の天板を具備した家具において、天板に取り付けられるコンセントボックスであって、電源コンセント、情報コンセント及び映像コンセントの少なくとも何れか一つの取付口を備えた前面板及び該前面板の下端から後方に延びる底板からなる本体と、該本体の左右端に連結された左右のサイドカバーと、該サイドカバーに設けられた支持部により回動可能に支持されて開閉する、前記本体の背面を覆う背面カバーと、前記天板及び底板を挟持する挟持手段とからなるので、本体、左右のサイドカバー、背面カバー及び挟持手段からなる簡素な構成によりコストの上昇を抑制することができる。その上、背面カバーが開閉式であるため、前記取付口へのコンセント等の取付及びケーブルの配線作業を容易に行うことができる。その上さらに、背面カバーにより本体の背面が覆われるため、背面における配線等が目立たずに美観が損なわれることがなく、会議テーブル等の後端部に取り付けて使用する場合であっても背面側から見た外観がすっきりとしたものになる。
【００１５】
さらに、前記背面カバーが、前記サイドカバーの後下部に設けられた支持部により前後方向に回動可能に支持されるものであり、該支持部と前記背面カバーの被支持部との係合が前記背面カバーを開けた所定位置で解除されると、前記効果に加えて、背面カバーを回動させて前記所定位置で取り外すことにより、配線等の作業性がさらに向上する。
【００１６】
さらにまた、前記前面板が、後方に行くにしたがって高くなる傾斜面を有し、該傾斜面に前記取付口を形成してなると、前記効果に加えて、コンセントボックスに備えさせたコンセントへの電源プラグやコネクタの着脱を容易に行うことができる。その上、コンセントに繋がり天板の端縁から落とし込むケーブルの屈曲角度が小さくなるため、天板の端縁に沿って垂下させやすく、天板の後側の狭い隙間にも落とし込むことが容易となり、配線処理がしやすくなるとともに、配線の見栄えもよくなる。
【００１７】
また、前記サイドカバーの後端を前記天板の後端縁よりも後側に位置させてなると、前記効果に加えて、コンセントボックス内から天板の端縁に沿ってケーブルを垂下させやすくなる。その上、側面視において天板上面より上の部分には配線が全く見えないこと、及び、背面カバーの下端をより下側に位置させることができるため、側面視及び背面視において配線をより目立たなくすることができ、よりすっきりとした外観の印象を与えることができる。
【００１８】
さらに、前記挟持手段が、後面が開口し、上側水平板に通孔が形成され、前記本体の底板の上面に当接する当接部が設けられた上支持部材と、該上支持部材の後面開口内に挿入され、螺孔が形成された上側水平板、該上側水平板の後端から垂下する垂直板、及び、該垂直板の下端から前方に延び、前記天板の下面に当接する下側水平板からなる下支持部材と、前記通孔の上側から前記螺孔に螺合するローレットビスとからなり、前記本体の底板に前記挟持手段の上支持部材の下端部が係合する係合孔を形成してなると、前記効果に加えて、本体の底板の係合穴に上支持部材の下端部を係合させて本体と挟持手段とを容易に位置決めした状態で、工具を用いずにローレットビスを人手で回転させることにより、コンセントボックスを容易に着脱することができる。
【発明を実施するための最良の形態】
【００１９】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、天板の一端部にコンセントボックスを装着した状態で、該一端部から天板の反対側の他端部に向かう方向を前方、その反対側を後方、前方に向かって左側を左方、前方に向かって右側を右方とする。
【００２０】
図１〜図６は、本発明の実施の形態に係る天板用コンセントボックスの構成を示す説明図であり、図１は斜視図、図２は分解斜視図、図３は縦断側面図、図４は挟持手段の分解斜視図、図５は背面カバーの着脱方法を示す縦断側面図、図６はコンセントの並設順序を変更した天板用コンセントボックスの例を示す斜視図である。
【００２１】
図１に示すように、コンセントボックス１は、デスク又はテーブル等の家具の天板１００の上面１００ａに載置され、その一端部（後端部）に固定された状態で使用されるものであり、本体２の左右端に連結された左右のサイドカバー３，４、本体２の背面を覆う背面カバー５、及び、後述する挟持手段６からなる簡素な構成によりコストの上昇を抑制することができる。そして、本体２の前面に、電源コンセントＳ１、情報コンセントＳ２及び映像コンセントＳ３並びにこれらを保持又は周囲を覆うコンセントベース１０Ａ，１０Ｂ，１０Ｃを備えている。なお、情報コンセントＳ２としては、例えばイーサネット（登録商標） ＬＡＮのＲＪ−４５コネクタ等が、映像コンセントＳ３としては、例えばミニD−Sub １５ピンコネクタ等が、要求仕様により適宜選択される。
【００２２】
図２〜図４に示すように、本体２は、後傾する（後方に行くにしたがって高くなる）傾斜板７Ａ及び前傾する（後方に行くにしたがって低くなる）傾斜板７Ｂからなる側面視略く字状の前面板７、前面板７の下端から後方に延びる底板８、並びに、傾斜板７Ａの上端と底板８とを連結する略垂直の連結板９からなり、例えばアルミニウム合金又は合成樹脂の押し出し成形により製作される。なお、押し出し成形にて製作される前面板７及び底板８の板厚を厚くすれば、所要の強度及び剛性を確保することができるため、連結板９を無くすことができる。また、本体２を、鋼板を板金プレス加工により曲げ成形して製作する場合にも、所要の強度及び剛性を確保できる板厚とすれば連結板９を無くした形状とすることができる。あるいは、板金プレス加工により曲げ成形する場合であっても、連結板９を曲げ成形により形成してその下端部を底板８に溶着してもよいし、連結板９を前面板７及び底板８と別の部品として該連結板９を前面板７及び底板８に溶着等により固定してもよい。
【００２３】
そして、図２に示すように、傾斜板７Ａには、前記コンセントベース１０Ａ，１０Ｂ，１０Ｃが装着される電源コンセント取付口１１Ａ、情報コンセント取付口１１Ｂ及び映像コンセント取付口１１Ｃが形成される。したがって、前面板７に後方に行くにしたがって高くなる傾斜面（傾斜板７Ａ）を設けて該傾斜面に前記取付口１１Ａ，１１Ｂ，１１Ｃを形成しているので、コンセントボックス１に備えさせたコンセントＳ１，Ｓ２，Ｓ３への電源プラグやコネクタの着脱を容易に行うことができる。
【００２４】
なお、電源コンセント取付口１１Ａには、左右の螺孔７ｂ，７ｂを利用して電源コンセントＳ１が取り付けられ、さらにその周囲にコンセントベース１０Ａが係合凹部７ｃ，…を利用して取り付けられる。また、映像コンセント取付口１１Ｃには、左右の螺孔７ｄ，７ｄを利用して映像コンセントＳ３が取り付けられ、さらにその周囲にコンセントベース１０Ｃが係合孔７ｅ，…を利用して取り付けられる。さらに、情報コンセント取付口１１Ｂには、情報コンセントＳ２を保持したコンセントベース１０Ｂが係着される。ここで、電源コンセントＳ１及び映像コンセントＳ３についても、情報コンセントＳ２及びコンセントベース１０Ｂと同様に、コンセントベース１０Ａ及び１０Ｃにより保持し、これらコンセントベース１０Ａ及び１０Ｃを電源コンセント取付口１１Ａ及び映像コンセント取付口１１Ｃに係着するように構成してもよい。また、図４に示すように、連結板９にはケーブル挿通用の開口１２Ａ，１２Ｂ，１２Ｃが個別に形成されるが、これらの開口の全部又は一部を連結してもよい。例えば、開口１２Ｂと１２Ｃとを一体化させて一つの開口としてもよい。
【００２５】
図２及び図３に示すように、左右のサイドカバー３，４は、鏡面対称形状であり、左右方向の内側へ突出する突片１４，１５及び係止片１６，１７，１８が形成されており、例えばポリアセタール、ポリプロピレン、ポリエチレンテレフタレート、ナイロン又はＡＢＳ等の合成樹脂の射出成形により製作される。サイドカバー３，４の突片１４，１５を本体２の前面板７及び連結板９により形成される空間内に挿入し、係止片１６を前面板７の係止孔７ａに、係止片１７を底板８の係止孔８ａに、係止片１８を連結板９の係止孔９ａに係止することにより、サイドカバー３，４は容易かつ確実に本体２の左右端に連結固定される。
【００２６】
図２、図３及び図５に示すように、背面カバー５は、下端左右の被支持部５Ａ，５Ａが、サイドカバー３，４の後下部に設けられた支持部３Ａ，４Ａにより支持され、該支持部３Ａ，４Ａまわりに前後方向に回動可能とされる。なお、背面カバー５の支持部は、必ずしもサイドカバー３，４に形成する必要はなく、本体２の形状によっては、該支持部を本体２に設けてもよい。
【００２７】
背面カバー５を開けた状態（図５の実線）から、前方へ回動させるとサイドカバー３，４のガイド片２０Ａ，２０Ａに背面カバー５の被ガイド片２０Ｂがガイドされ、背面カバー５を閉じた状態（図３）では、サイドカバー３，４の係合凹部１９Ａ，１９Ａに背面カバー５の係合凸部１９Ｂが係合する。したがって、デスク又はテーブル等の移動の際にも、背面カバー５はサイドカバー３，４に安定保持される。また、例えば凹条５Ｃに指を掛けて背面カバー５を開ける際にも、サイドカバー３，４の係合凹部１９Ａ，１９Ａと背面カバー５の係合凸部１９Ｂとの係合を外した後、前記のとおりサイドカバー３，４のガイド片２０Ａ，２０Ａに背面カバー５の被ガイド片２０Ｂがガイドされる。よって、背面カバーの開閉操作時における操作感が向上する。
【００２８】
このように背面カバー５が開閉式であるため、コンセント取付口１１Ａ，１１Ｂ，１１ＣへのコンセントＳ１，Ｓ２，Ｓ３及びコンセントベース１０Ａ，１０Ｂ，１０Ｃの取付及びケーブルの配線作業を容易に行うことができる。その上、図３に示すように、背面カバー５により本体２の背面が覆われるため、背面における配線等が目立たずに美観が損なわれることがなく、会議テーブル等の後端部に取り付けて使用する場合であっても背面側から見た外観がすっきりとしたものになる。
【００２９】
図５に示すように、サイドカバー３，４に設けられた支持部３Ａ，４Ａは、その前面を垂直面３０Ａとした側面視略Ｄ字状とされ、該支持部３Ａ，４Ａに外嵌する被支持部５Ａ，５Ａの後側には切欠部３０Ｂ（図２参照）が形成されている。したがって、背面カバー５を開けた所定位置、例えば図５のように略上方へ起立させた位置で支持部３Ａ，４Ａと被支持部５Ａとの係合が解除可能とされ、この状態では、背面カバー５を図５中の実線から２点鎖線のように（矢印Ｂ参照）、容易に取り外すことができる。
【００３０】
このような構成によれば、背面カバー５を開けた所定位置で該背面カバー５を取り外した状態で配線等を容易に行うことができ、天板１００の後側にパネル、壁又は書棚等の家具があるためコンセントボックス１の後側に狭いスペースしかなく、背面カバー５を回動させて開けただけでは配線等の作業性がよくない場合であっても、配線等の作業を効率的に行うことができる。なお、背面カバー５を回動可能とせずに、凹凸嵌合等により上下方向に着脱可能とする構成としてもよい。以上のような背面カバー５は、例えばポリアセタール、ポリプロピレン、ポリエチレンテレフタレート、ナイロン又はＡＢＳ等の合成樹脂の射出成形若しくは押し出し成形又はアルミニウム合金の押し出し成形により製作される。
【００３１】
また、前記のとおり前面板７に後方に行くにしたがって高くなる傾斜面（傾斜板７Ａ）を設けて該傾斜面に前記取付口１１Ａ，１１Ｂ，１１Ｃを形成しているので、図３及び図５に示すように、コンセントＳ１，Ｓ２，Ｓ３に繋がり天板１００の端縁１００ｃから落とし込むケーブルＣの屈曲角度が小さくなるため、天板１００の端縁１００ｃに沿って垂下させやすく、天板１００の後側の狭い隙間にも落とし込むことが容易となり、配線処理がしやすくなるとともに、配線の見栄えもよくなる。
【００３２】
さらに、図３及び図５に示すように、サイドカバー３，４の後端３Ｂ，４Ｂを天板１００の後端縁１００ｃよりも後側に位置させているので、コンセントボックス１内から天板１００の端縁１００ｃに沿ってケーブルＣを垂下させやすくなる。その上、側面視において天板１００の上面１００ａより上の部分には配線が全く見えないこと、及び、背面カバー５の下端５Ｂをより下側に位置させることができるため、側面視及び背面視において配線をより目立たなくすることができ、よりすっきりとした外観の印象を与えることができる。
【００３３】
次に、挟持手段６の構成について説明する。図２〜図５に示すように、挟持手段６は、上支持部材２１、下支持部材２２及びローレットビス２３により構成される。上支持部材２１は、後面及び下面が開口し（図４に示す後面開口Ａ参照）、通孔２４ａ及び該通孔２４ａの外側において上方に突出する突部２４ｂが形成された上側水平板２４、上側水平板２４の前及び左右から垂下する水平断面略コ字状の壁部の途中から水平方向外方に延び、本体２の底板８の上面に当接する当接部２５からなり、例えばポリアセタール、ポリプロピレン、ポリエチレンテレフタレート、ナイロン又はＡＢＳ等の合成樹脂の射出成形により製作される。また、下支持部材２２は、上支持部材２１の後面開口Ａ内に挿入され、螺孔２７ａが形成された上側水平板２７、上側水平板２７の後端から垂下する垂直板２８、及び、垂直板２８の下端から前方に延び、天板１００の下面１００ｂに当接する下側水平板２９からなり、例えば鋼板の板金プレス加工により成形される。
【００３４】
本体２の底板８には、挟持手段６の上支持部材２１の下端部２６が係合し該上支持部材２１と水平面内の位置決めがされる係合穴１３が形成されているため、本体２の底板８を上支持部材２１の下端部２６に係合させて本体２と上支持部材２１とを位置決めし、天板１００の端部に配設し、下支持部材２２の垂直板２８の前面を天板１００の端縁１００ｃに当接させた状態で、図３及び図５に示すように、ローレットビス２３を通孔２４ａの上側から螺孔２７ａに螺合させ、さらにローレットビス２３を回転すると、ローレットビス２３の頭部の下面が突部２４ｂの上面に当接し、この状態でさらにローレットビス２３を回転すると、下支持部材２２の下側水平板２９の上面２９ａが天板１００の下面１００ｂに圧接し、上支持部材２１の当接部２５の下面２５ａが本体２の底板８の上面に圧接し、本体２が天板１００の上面１００ａに圧接する。
【００３５】
したがって、工具を用いずにローレットビス２３を人手で回転させることにより、コンセントボックス１を容易かつ確実に天板１００の端部に取り付けることができる。また、同様にしてコンセントボックス１の取り外しも、容易に行うことができる。なお、ローレットビス２３、上支持部材２１及び下支持部材２２の上部は、背面カバーに隠されており、背面側からは見えない状態であるが、天板１００に対するコンセントボックス１の取付位置の変更は、背面カバー５を開ければローレットビスを操作可能であるため、背面カバーを後側に回動させた状態で容易に行うことができる。
【００３６】
以上の説明においては、図１に示すように左から右へ電源コンセントＳ１、映像コンセントＳ３、情報コンセントＳ２の順序で並設する構成について説明したが、図６に示すように左から右へ映像コンセントＳ３、電源コンセントＳ１、情報コンセントＳ２の順序で並設する構成等、コンセントの並設順序は適宜選択して実施することができる。また、コンセントボックス１には、電源コンセントＳ１、情報コンセントＳ２及び映像コンセントＳ３の少なくとも１種類を備えさせればよく、コンセントの個数及び種類は適宜選択することができる。
【００３７】
また、例えばアルミニウム合金の押し出し成形により製作される本体２の左右方向の長さを変えたものを製作し、コンセント取付口の種類及び数を変化させることも容易であり、例えば合成樹脂の射出成形により製作される背面カバー５の左右方向の長さを本体２の長さに合わせることも容易である。また、この場合において、左右のサイドカバー３，４及び挟持手段６は共通のものを使用することができる。なお、本体２の左右方向の長さによっては、挟持手段６を複数使用してもよい。
【００３８】
さらに、本発明に係る天板用コンセントボックスは、配線挿通用の孔又は切欠が設けられている天板にあっては、これらの配線挿通用の孔又は切欠を利用して取り付けて使用することも容易である。
【図面の簡単な説明】
【００３９】
【図１】本発明の実施の形態に係る天板用コンセントボックスの斜視図である。
【図２】同じく分解斜視図である。
【図３】同じく縦断側面図である。
【図４】挟持手段の分解斜視図である。
【図５】背面カバーの着脱方法を示す縦断側面図である。
【図６】コンセントの並設順序を変更した天板用コンセントボックスの例を示す斜視図である。斜視図である。
【符号の説明】
【００４０】
１００  天板
１００ａ  上面
１００ｂ  下面
１００ｃ  端縁
Ａ  後面開口
Ｃ  ケーブル
Ｓ１  電源コンセント
Ｓ２  情報コンセント
Ｓ３  映像コンセント
１  コンセントボックス
２  本体
３，４  サイドカバー
３Ａ，４Ａ  支持部
３Ｂ，４Ｂ  後端
５  背面カバー
５Ａ  被支持部
５Ｂ  下端
５Ｃ  凹条
６  挟持手段
７  前面板
７Ａ  傾斜面
７Ｂ  傾斜面
７ａ  係止孔
７ｂ  螺孔
７ｃ  係合凹部
７ｄ  螺孔
７ｅ  係合孔
８  底板
８ａ  係止孔
９  連結板
９ａ  係止孔
１０Ａ，１０Ｂ，１０Ｃ  コンセントベース
１１Ａ  電源コンセント取付口
１１Ｂ  情報コンセント取付口
１１Ｃ  映像コンセント取付口
１２Ａ，１２Ｂ，１２Ｃ  開口
１３  係合孔
１４，１５  突片
１６，１７，１８  係止片
１９Ａ  係合凹部
１９Ｂ  係合凸部
２０Ａ  ガイド片
２０Ｂ  被ガイド片
２１  上支持部材
２２  下支持部材
２３  ローレットビス
２４  上側水平板
２４ａ  通孔
２４ｂ  突部
２５  当接部
２５ａ  下面（当接面）
２６  下端部
２７  上側水平板
２７ａ  螺孔
２８  垂直板
２９  下側水平板
２９ａ  上面
３０Ａ  垂直面
３０Ｂ  切欠部
【図１】
2008084558.tif 000003
【図２】
2008084558.tif 000004
【図３】
2008084558.tif 000005
【図４】
2008084558.tif 000006
【図５】
2008084558.tif 000007
【図６】
2008084558.tif 000008